(57)【要約】      （修正有）【課題】構造が簡単で製造コストが安いばかりではなく、コンパクトである故、コンセント上部等の狭い場所に設置可能であるのみならず、トラッキング火災の初期消火に極めて有効なトラッキング火災用消火装置を提供する。【解決手段】ガス及び粉末消火剤が充填されたゴム又は合成樹脂製の密閉容器３を収納した金属網製容器２を、下方が開口した金属製容器１内に内蔵したトラッキング火災用消火装置であって、火災時の温度上昇により上記ゴム又は合成樹脂製の密閉容器が破裂して、粉末消火剤が金属製容器の下方開口部４から噴出するように構成されている。【選択図】図１
0003162290.tif 000002
【実用新案登録請求の範囲】
【請求項１】
ガス及び粉末消火剤が充填されたゴム又は合成樹脂製の密閉容器を収納した金属網製容器を、下方が開口した金属製容器内に内蔵したトラッキング火災用消火装置であって、火災時の温度上昇により上記ゴム又は合成樹脂製の密閉容器が破裂して、粉末消火剤が金属製容器の下方開口部から噴出するように構成されている、トラッキング火災用消火装置。
【請求項２】
合成樹脂製の密閉容器の材質が、ポリエチレン、塩化ビニル及びポリエチレンテレフタレートより成る群から選ばれる、請求項１記載のトラッキング火災用消火装置。
【請求項３】
ガスが空気、二酸化炭素及び窒素より成る群から選ばれる、請求項１又は２記載のトラッキング火災用消火装置。
【請求項４】
温度上昇を検知してガスを放出する機構を備えたガスボンベに接続されかつ粉末消火剤が充填されたゴム又は合成樹脂製の密閉容器を収納した金属網製容器を、下方が開口した金属製容器内に内蔵したトラッキング火災用消火装置であって、火災時の温度上昇により、上記ガスボンベから放出されたガスが上記ゴム又は合成樹脂製密閉容器に導入されると共に、上記ゴム又は合成樹脂製密閉容器が破裂して、粉末消火剤が金属製容器の下方開口部から噴出するように構成されている、トラッキング火災用消火装置。
【請求項５】
温度上昇を検知してガスを放出する機構が、金属製容器の下方開口部近傍に設けられた温度検知器と、該温度検知器により検知された温度上昇に伴って開放する、ガスボンベに設けられたバルブにより構成される、請求項４記載のトラッキング火災用消火装置。
【請求項６】
合成樹脂製の密閉容器の材質が、ポリエチレン、塩化ビニル及びポリエチレンテレフタレートより成る群から選ばれる、請求項４又は５記載のトラッキング火災用消火装置。
【請求項７】
ガスが空気、二酸化炭素及び窒素より成る群から選ばれる、請求項４〜６のいずれか一つに記載のトラッキング火災用消火装置。
【考案の詳細な説明】
【技術分野】
【０００１】
本考案は、トラッキング火災用消火装置に関し、更に詳しくは、コンセント近傍で発生するトラッキング火災を自動的に検知して消火するトラッキング火災用消火装置に関する。
【背景技術】
【０００２】
日本全国で発生している火災のうち、近年、トラッキング火災の割合が増加する傾向にあり、大きな問題になりつつある。ここで、トラッキング火災とは、コンセントやテーブルタップに、長期間、電源とプラグを差し込んでいると、これらコンセントやテーブルタップとプラグとの間に徐々に埃がたまり、この埃が湿気をよぶことによって、プラグ両極間で火花放電が繰り返され、そして、絶縁状態が悪くなりプラグ両極間に電気が流れて発熱して発火することによる火災を言う。
【０００３】
トラッキング火災を未然に防止する方法としては、差し込みプラグの端子の根本に絶縁物を取り付ける等の方法が知られているが十分ではない。従って、トラッキング火災を確実に防止するには、冷蔵庫などの常にプラグを差している箇所は、時々、プラグを抜いて清掃すること、必要がない箇所のプラグは使用後に必ず抜くこと、コンセント、テーブルタップ、電源プラグ、コード等が異常に熱を持っているときには直ちに点検すること、長期間外出する際は必ずコンセントからプラグを抜いておくこと等により対処する必要があった。しかし、このような人的作業に依存する方法では十分には防止し得ないと言うのが現状である。
【０００４】
発生した火災を自動的に検知して消火する方法としては、種々の方法が知られている。しかし、トラッキング火災のようなものは、火がその他の部分に燃え広がらないうちに、火災発生源において確実に消火する必要がある。このような火災発生源を消火する装置も多く知られている。例えば、特許文献１には、テーブルガスコンロ直上に、一定温度以上で自動的に消火剤を散布する消火器を配したことを特徴とする自動消火装置が開示されている。該消火装置は、複数の花弁状側壁で構成されており、夫々の花弁状側壁の内側には複数枚の皿状棚を有し、各花弁状側壁の上端外壁は注入筒に蝶番で固定されており、また、各花弁状側壁の上端内壁は注入筒とバネで連結されている。そして、テーブルガスコンロが一定温度以上になったときに、消火器開放留め具が消失又は溶融して、複数の花弁状側壁が開口して消火するものである。これら従来の消火装置は、複雑かつ空間に広い場所を必要とする。従って、トラッキング火災の消火用としては、使用することができなかった。
【先行技術文献】
【特許文献】
【０００５】
【特許文献１】特開２００２−２００１８７号公報
【考案の概要】
【考案が解決しようとする課題】
【０００６】
本考案は、構造が簡単で製造コストが安いばかりではなく、コンパクトである故、コンセント上部等の狭い場所に設置可能であるのみならず、トラッキング火災の初期消火に極めて有効なトラッキング火災用消火装置を提供するものである。
【課題を解決するための手段】
【０００７】
本考案者は、上記の課題を解決すべく種々検討した。その結果、ゴム又は合成樹脂製の密閉容器にガス及び粉末消火剤、例えば、既成のＣ火災用消火剤を充填してコンセント上部等に設置しておけば、火災の際の温度上昇により、ゴム又は合成樹脂製の密閉容器が破裂してガスと共に粉末消火剤が噴出し、トラッキング火災を未然に防止し得ると考えた。しかし、ゴム又は合成樹脂製の密閉容器が露出した状態では、幼児等のいたずらにより、あるいはネズミ等の小動物に齧られたりして破損する恐れがある。また、噴出した消火剤が、確実にコンセント部分に達しなければならない。本考案者は、これらのことを更に考慮した結果、下記考案を完成するに至ったのである。
【０００８】
即ち、本考案は、
（１）ガス及び粉末消火剤が充填されたゴム又は合成樹脂製の密閉容器を収納した金属網製容器を、下方が開口した金属製容器内に内蔵したトラッキング火災用消火装置であって、火災時の温度上昇により上記ゴム又は合成樹脂製の密閉容器が破裂して、粉末消火剤が金属製容器の下方開口部から噴出するように構成されている、トラッキング火災用消火装置
である。
【０００９】
好ましい態様として、
（２）ゴム又は合成樹脂製密閉容器の内面にガス漏れ防止剤が塗布されている、上記（１）記載のトラッキング火災用消火装置、
（３）合成樹脂製の密閉容器の材質が、ポリエチレン、塩化ビニル及びポリエチレンテレフタレートより成る群から選ばれる、上記（１）又は（２）記載のトラッキング火災用消火装置、
（４）ガスが空気、二酸化炭素及び窒素より成る群から選ばれる、上記（１）〜（３）のいずれか一つに記載のトラッキング火災用消火装置、
（５）ガスが二酸化炭素である、上記（１）〜（３）のいずれか一つに記載のトラッキング火災用消火装置、
（６）粉末消火剤が、リン酸二水素アンモニウムを主成分とするものである、上記（１）〜（５）のいずれか一つに記載のトラッキング火災用消火装置、
（７）ゴム製の密閉容器の材質が、天然ゴム及び合成ゴムより成る群から選ばれる、上記（１）〜（７）のいずれか一つに記載のトラッキング火災用消火装置、
（８）金属網製容器の材質が、アルミニウム又はステンレス鋼である、上記（１）〜（７）のいずれか一つに記載のトラッキング火災用消火装置、
（９）金属製容器の材質が、ステンレス鋼である、上記（１）〜（８）のいずれか一つに記載のトラッキング火災用消火装置、
（１０）金属製容器の寸法が、縦１３０〜２００ｍｍ、横１００〜１５０ｍｍ及び奥行き２０〜６０ｍｍである、上記（１）〜（９）のいずれか一つに記載のトラッキング火災用消火装置、
（１１）金属製容器の寸法が、縦１５０〜１７０ｍｍ、横１００〜１３０ｍｍ及び奥行き４０〜５０ｍｍである、上記（１）〜（９）のいずれか一つに記載のトラッキング火災用消火装置
を挙げることができる。
【００１０】
本考案者は、上記考案を踏まえて、更に検討した結果、ガスを予めゴム又は合成樹脂製の密閉容器に充填しておくのではなく、火災時に充填すれば、ゴム又は合成樹脂製の密閉容器からのガスの漏れもなく、更に、効果的にトラッキング火災を未然に防止し得ると考えた。
【００１１】
また、本考案は、
（１２）温度上昇を検知してガスを放出する機構を備えたガスボンベに接続されかつ粉末消火剤が充填されたゴム又は合成樹脂製の密閉容器を収納した金属網製容器を、下方が開口した金属製容器内に内蔵したトラッキング火災用消火装置であって、火災時の温度上昇により、上記ガスボンベから放出されたガスが上記ゴム又は合成樹脂製密閉容器に導入されると共に、上記ゴム又は合成樹脂製密閉容器が破裂して、粉末消火剤が金属製容器の下方開口部から噴出するように構成されている、トラッキング火災用消火装置
である。
【００１２】
好ましい態様として、
（１３）温度上昇を検知してガスを放出する機構が、金属製容器の下方開口部近傍に設けられたガス開放口に予め組み込まれた温度検知器に反応して自動放出する機構を備えたガスボンベにより構成される、上記（１２）記載のトラッキング火災用消火装置、
（１４）合成樹脂製の密閉容器の材質が、ポリエチレン、塩化ビニル及びポリエチレンテレフタレートより成る群から選ばれる、上記（１２）又は（１３）記載のトラッキング火災用消火装置、
（１５）ガスが空気、二酸化炭素及び窒素より成る群から選ばれる、上記（１２）〜（１４）のいずれか一つに記載のトラッキング火災用消火装置、
（１６）ガスが二酸化炭素である、上記（１２）〜（１４）のいずれか一つに記載のトラッキング火災用消火装置、
（１７）粉末消火剤が、リン酸二水素アンモニウムを主成分とするものである、上記（１２）〜（１６）のいずれか一つに記載のトラッキング火災用消火装置、
（１８）ゴム製の密閉容器の材質が、天然ゴム及び合成ゴムより成る群から選ばれる、上記（１２）〜（１７）のいずれか一つに記載のトラッキング火災用消火装置、
（１９）金属網製容器の材質が、アルミニウム又はステンレス鋼である、上記（１２）〜（１８）のいずれか一つに記載のトラッキング火災用消火装置、
（２０）金属製容器の材質が、ステンレス鋼である、上記（１２）〜（１９）のいずれか一つに記載のトラッキング火災用消火装置、
（２１）金属製容器の寸法が、縦１３０〜２００ｍｍ、横１００〜１５０ｍｍ及び奥行き２０〜６０ｍｍである、上記（１２）〜（２０）のいずれか一つに記載のトラッキング火災用消火装置、
（２２）金属製容器の寸法が、縦１５０〜１７０ｍｍ、横１００〜１３０ｍｍ及び奥行き４０〜５０ｍｍである、上記（１２）〜（２０）のいずれか一つに記載のトラッキング火災用消火装置
を挙げることができる。
【考案の効果】
【００１３】
本考案のトラッキング火災用消火装置は、構造が簡単である故、製造コストが安いのみならず、コンパクトである故、コンセント上部等の狭い場所、例えば、トラッキング火災の元凶となり得る、最も危険性の高い冷蔵庫、洗濯機、テレビ等の裏側の狭小部に設置可能である。また、コンセント上部等に設置し得ることから、トラッキング火災の初期消火に極めて有効である。加えて、粉末消火剤が充填されたゴム又は合成樹脂製の密閉容器が金属網製容器内に収納されていることから、幼児等のいたずらやネズミ等の小動物に齧られたりして破損することがない。
【図面の簡単な説明】
【００１４】
【図１】図１は、本考案のトラッキング火災用消火装置の一実施態様を示した説明図である（実施例１）。
【図２】図２は、図１に示した本考案のトラッキング火災用消火装置の側面を示した図である（実施例１）。
【図３】図３は、図１に示した本考案のトラッキング火災用消火装置の底面を示した図である（実施例１）。
【図４】図４は、本考案のトラッキング火災用消火装置の他の実施態様を示した説明図である（実施例２）。
【図５】図５は、図４に示した本考案のトラッキング火災用消火装置の側面を示した図である（実施例２）。
【図６】図６は、図４に示した本考案のトラッキング火災用消火装置の底面を示した図である（実施例２）。
【考案を実施するための形態】
【００１５】
本考案のトラッキング火災用消火装置の一実施態様は、下方が開口した金属製容器内に、ガス及び粉末消火剤が充填されたゴム又は合成樹脂製の密閉容器を収納した金属網製容器を内蔵しているものである。ここで、ゴム又は合成樹脂製の密閉容器の材質としては、トラッキング火災の初期温度、例えば、約７０℃以上の温度、好ましくは１００〜２００℃の温度で溶融して破裂し得るものであれば特に制限はない。使用するゴム及び合成樹脂は肉厚が薄く、機密性の高いものであることが好ましい。ゴムとしては、例えば、天然ゴム及び合成ゴムより成る群から選らばれるものが使用される。合成樹脂としては、例えば、ポリエチレン、塩化ビニル及びポリエチレンテレフタレートより成る群から選ばれるものが使用される。該ゴム又は合成樹脂製の密閉容器としては、好ましくは、袋状のものが使用され、ガスを充てんすることにより、膨満し得ることが好ましい。ゴム又は合成樹脂製の密閉容器の容量は、ガスを充てんした状態で金属網製容器内に丁度収まる程度であり、かつトラッキング火災の初期消火を十分に達成し得る程度の粉末消火剤を充填し得るものであることが好ましい。ゴム又は合成樹脂製の密閉容器の容量は、ガスを充填した状態で、好ましくは３００〜１，０００ｃｍ３、より好ましくは５００〜７００ｃｍ３である。容器のゴム又は合成樹脂の厚さは、好ましくは０．１〜０．２ｍｍである。また、ゴム又は合成樹脂製の密閉容器の内面には、ガス漏れ防止剤が塗布されていることが好ましい。これにより、長期間ガス漏れを防止し得る。該ガス漏れ防止剤としては、例えば、タイヤチューブ等の空気漏れ防止剤等を使用することができる。
【００１６】
ゴム又は合成樹脂製の密閉容器には、トラッキング火災の熱により破裂した際、粉末消火剤を噴出することができる程度の圧力でガスが充填されていることが必要である。充填するガスは、空気、二酸化炭素及び窒素より成る群から選ばれる。好ましくは、二酸化炭素が使用される。また、粉末消火剤としては、リン酸二水素アンモニウムを主成分とするものが好ましい。例えば、消防法で規定されている既存の電気火災用の粉末Ｃ消火剤等を使用することができる。該粉末消火剤の充填量は、トラッキング火災用消火装置の大きさに依存するが、ゴム又は合成樹脂製の密閉容器の容量の１／２程度の量が好ましい。該充填量は、好ましくは１５０〜５００ｃｍ３、より好ましくは２５０〜３５０ｃｍ３である。上記下限未満では、トラッキング火災の初期消火を十分に達成し得ず、上記上限を超えては、充填量に見合った効果は得られず、却ってコスト高を招く。
【００１７】
金属網製容器の材質は、火災時の温度で不燃性であることが必要であり、好ましくはアルミニウム又はステンレス鋼が使用される。該容器の網目の大きさは、幼児等のいたずらを防止し、かつネズミ等の小動物に齧られる等の事態を防止し得る程度のものであればよい。網目が余り細か過ぎると粉末消火剤の通過に支障が生ずるため好ましくない。網目の最大径は、５〜１５ｍｍであることが好ましい。また、最外殻の金属製容器の材質も、火災時の温度で不燃性であることが必要であり、好ましくはステンレス鋼が使用される。該金属製容器の寸法は、コンセント等の個数、設置場所等に依存して変更することができる。設置物と壁面との間隔を考慮すれば、好ましくは、縦１３０〜２００ｍｍ、横１００〜１５０ｍｍ及び奥行き２０〜６０ｍｍであり、より好ましくは、縦１５０〜１７０ｍｍ、横１００〜１３０ｍｍ及び奥行き４０〜５０ｍｍである。金属網製容器の寸法は、該金属製容器の寸法に依存して決めることができる。また、金属製容器の下方は開口している。これにより、ガス及び粉末消火剤が充填されたゴム又は合成樹脂製の密閉容器がトラッキング火災の熱により溶融して破裂した際、粉末消火剤を金属製容器の下方開口部から噴出させて、トラッキング火災を消火することができる。
【００１８】
ガス及び粉末消火剤が充填されたゴム又は合成樹脂製の密閉容器、それを収納した金属網製容器、及び該金属網製容器を内蔵した金属製容器から構成されるトラッキング火災用消火装置は、コンセント等の上部に設置される。設置方法に特に制限はなく、例えば、ネジ等で固定してもよく、また、両面テープ等で固定することもできる。より好ましくは、接着剤が両面に塗布されたマジックテープ（登録商標）様のものであって、その片面が予め当該装置と接着されて一体化されているものである。該方法を使用すれば、取り外しが簡便であり、２年程度の付け替えに容易に対応し得る。
【００１９】
本考案のトラッキング火災用消火装置の他の実施態様は、下方が開口した金属製容器内に、温度上昇を検知してガスを放出する機構を備えたガスボンベに接続されかつ粉末消火剤が充填されたゴム又は合成樹脂製の密閉容器を収納した金属網製容器を内蔵しているものである。ここで、ゴム又は合成樹脂製の密閉容器の材質としては、上記実施態様と同一のものを使用することができ、トラッキング火災の初期温度、例えば、約７０℃以上の温度、好ましくは１００〜２００℃の温度で溶融して破裂し得るものであれば特に制限はない。該ゴム又は合成樹脂製の密閉容器としては、好ましくは、袋状のものが使用され、ガスを充てんすることにより、膨満し得ることが好ましい。ゴム又は合成樹脂製の密閉容器の容量は、トラッキング火災の初期消火を十分に達成し得る程度の粉末消火剤を充填し得るものであることが好ましい。容器のゴム又は合成樹脂の厚さは、好ましくは０．１〜０．２ｍｍである。
【００２０】
ガスボンベを使用する態様において、ガスは、上記と同じく、空気、二酸化炭素及び窒素より成る群から選ばれる。好ましくは、二酸化炭素が使用される。また、使用するガスボンベの容量は、好ましくは５〜５０ｃｍ３、より好ましくは１０〜３０ｃｍ３であり、かつ圧力は、好ましくは１．２ＭＰａ以上、より好ましくは２．０〜４．０ＭＰａである。ガスボンベの容量及び圧力は、ゴム又は合成樹脂製の密閉容器の容量等を考慮して適宜決定することができる。該ガスボンベには、温度上昇を検知する温度検知器と、その温度上昇によりガスを放出することができる手段、例えば、バルブが備えられている。該手段としては、例えば、特開平９−２６６９５６号記載のものを使用することができる。トラッキング火災が発生すると、温度検知器によりその温度上昇を検知し、ボンベ口に備えられた撃針の作用により、直ちにガスボンベに備えられたバルブが開放して、ガスが、粉末消火剤が充填されたゴム又は合成樹脂製の密閉容器内に導入されて該容器が膨満し、同時に、火災時の温度上昇により、密閉容器が破裂して、内部の粉末消火剤が金属製容器の下方開口部から噴出して、トラッキング火災を消火するものである。また、粉末消火剤の種類及びその充填量は、上記の実施態様と同一である。ボンベは、好ましくは火災時の温度上昇を受けると考えられる箇所に、ステンレス鋼板とこれに接合された耐火性の断熱材等を設けることにより、火災時の温度上昇から保護されていることが好ましい。
【００２１】
金属網製容器及び金属製容器の材質、寸法等も、上記の実施態様と同一である。温度上昇を検知してガスを放出する機構を備えたガスボンベに接続されかつ粉末消火剤が充填されたゴム又は合成樹脂製の密閉容器、それを収納した金属網製容器、及び該金属網製容器を内蔵した金属製容器から構成されるトラッキング火災用消火装置は、コンセント等の上部に設置される。設置方法に特に制限はなく、例えば、ネジ等で固定してもよく、また、両面テープ等で固定することもできる。より好ましくは、接着剤が両面に塗布されたマジックテープ様のものであって、その片面が予め当該装置と接着されて一体化しているものである。該方法を使用すれば、取り外しが簡便であり、２年程度の付け替えに容易に対応し得る。
【００２２】
以下の実施例において、本考案を更に詳細に説明するが、本考案はこの実施例により限定されるものではない。
【００２３】
（実施例１）
図１〜３に示した態様のトラッキング火災用消火装置を作成した。該消火装置における金属製容器はステンレス鋼製薄板であり、その寸法は、縦１７０ｍｍ、横１２０ｍｍ及び奥行き４０ｍｍであった。金属網製容器はアルミニウム製であり、その寸法は、上記の金属製容器内にぴたりと収まる程度のものであった。また、網目の寸法及び形状は、最大径が約１ｃｍの菱形状であった。合成樹脂製の密閉容器の材質はポリエチレンであり、その厚さは約０．１ｍｍあった。粉末消火剤として、粉末ＡＢＣ消火剤の約３００ｃｍ３を使用し、充填用ガスとして、二酸化炭素を使用して、合成樹脂製の密閉容器内に粉末消火剤及びガスを充てんして合成樹脂製の密閉容器を膨らまし、それを金属網製容器内に収納した。該金属網製容器を金属製容器内に収納して、トラッキング火災用消火装置が完成した。
【００２４】
該トラッキング火災用消火装置を両面テープで壁に設置した。次いで、火のついた蝋燭を、該トラッキング火災用消火装置の下方約５ｃｍのところに炎の先端が来るように設置した。すると、約５秒後に該トラッキング火災用消火装置内の合成樹脂製の密閉容器が破裂して粉末消火剤が下方に噴出し、蝋燭の炎が消えた。
【００２５】
（実施例２）
図４〜６に示した態様のトラッキング火災用消火装置を作成した。該消火装置における金属製容器はステンレス鋼製薄板であり、その寸法は、縦１７０ｍｍ、横１２０ｍｍ及び奥行き４０ｍｍであった。金属網製容器はアルミニウム製であり、その寸法は、上記の金属製容器内にぴたりと収まる程度のものであった。また、網目の寸法及び形状は、最大径が約１ｃｍの菱形状であった。合成樹脂製の密閉容器の材質はポリエチレンであり、合成樹脂の厚さは約０．１ｍｍあった。粉末消火剤として、粉末ＡＢＣ消火剤の約３００ｃｍ３を使用し、合成樹脂製の密閉容器内に粉末消火剤を充填し、かつ、特開平９−２６６９５６号に準じて作成した、温度上昇を検知してガスを放出するバルブを備えた二酸化炭素のガスボンベ（内径：約２０ｍｍ、内部長：約６０ｍｍ、充填圧力：約１．５ＭＰａ）を接続して、合成樹脂製の密閉容器を金属網製容器内に収納した。該金属網製容器を金属製容器内に収納して、トラッキング火災用消火装置が完成した。
【００２６】
該トラッキング火災用消火装置を両面テープで壁に設置した。次いで、火のついた蝋燭を、該トラッキング火災用消火装置の下方約５ｃｍのところの炎の先端が来るように設置した。すると、約５秒後にガスボンベのバルブが作動して、ガスが合成樹脂製の密閉容器内に流れ込み、同時に、該合成樹脂製の密閉容器が火炎の熱により破裂して粉末消火剤が下方に噴出し、蝋燭の炎が消えた。
【産業上の利用可能性】
【００２７】
本考案のトラッキング火災用消火装置は、トラッキング火災の初期消火に極めて有効である。従って、とりわけ、家庭用の消火装置として有用である。
【符号の説明】
【００２８】
１  金属製容器
２  金属網製容器
３  合成樹脂製の密閉容器
４  金属製容器の下方開口部
５  ガスボンベ
６  温度検知器
７  バルブ
【図１】
0003162290.tif 000003
【図２】
0003162290.tif 000004
【図３】
0003162290.tif 000005
【図４】
0003162290.tif 000006
【図５】
0003162290.tif 000007
【図６】
0003162290.tif 000008